(57)【要約】【課題】障害の発生箇所が分離・切り替えモジュールの前後どちら側であるかを有効に特定しうる波長多重化装置等を提供する。【解決手段】複数または単数系統の光線路、および複数または単数系統の光送受信器と接続され、当該光線路と光送受信器との間に装備されて光信号を入出力する波長多重化装置１００は、光線路から入力された光信号を光送受信器に出力する第１の光スイッチ１２ａ〜ｃと、光送受信器から入力された光信号を光線路に出力する第２の光スイッチ１２ｄ〜ｆとを備え、かつ光送受信器２１〜２３から入力された光信号を当該光送受信器側に帰還させて出力するローカル光ループバック回路１３を備える。【選択図】図１
2014021075.tif 000002
【特許請求の範囲】
【請求項１】
複数または単数系統の光線路、および複数または単数系統の光送受信器と接続され、当該光線路と光送受信器との間に装備されて光信号を入出力する波長多重化装置であって、
前記光線路から入力された光信号を前記光送受信器に出力する第１の光スイッチと、
前記光送受信器から入力された光信号を前記光線路に出力する第２の光スイッチとを備え、
前記光送受信器から入力された光信号を当該光送受信器側に帰還させて出力するローカル光ループバック回路を設けた
ことを特徴とする波長多重化装置。
【請求項２】
前記第１の光スイッチが、前記光線路から入力された光信号もしくは前記ローカル光ループバック回路で帰還させられた光信号を外部からの切り替え操作によって選択的に前記光送受信器に出力する機能を備え、
前記第２の光スイッチが、前記光送受信器から入力された光信号を前記光線路のうちの１系統、もしくは前記ローカル光ループバック回路に外部からの切り替え操作によって選択的に出力する機能を備える
ことを特徴とする、請求項１に記載の波長多重化装置。
【請求項３】
前記各光線路ごとに当該光線路から入力された光信号を分岐して前記各第１の光スイッチに対して出力する第１の光カプラと、
前記各第２の光スイッチごとに当該第２の光スイッチから入力された光信号を合波して前記各光線路に対して出力する第２の光カプラと
を有することを特徴とする、請求項２に記載の波長多重化装置。
【請求項４】
外部からの操作指令に応じて動作するモジュール検査部を備え、
このモジュール検査部が、
前記ローカル光ループバック回路で帰還させられた光信号を前記光送受信器に出力するよう前記第１の光スイッチを切り替え制御する機能と、
これと並行して前記光送受信器から入力された光信号を前記ローカル光ループバック回路に出力するよう前記第２の光スイッチを切り替え制御する機能と、
その後で前記光送受信器に光信号を発信させ、前記ローカル光ループバック回路で帰還させられた光信号が前記光送受信器で受信された否かを判断制御する機能とを有することを特徴とする、請求項２に記載の波長多重化装置。
【請求項５】
前記光線路から入力された光信号を当該光線路側に帰還させて出力するリモート光ループバック回路を備えると共に、
前記第１の光スイッチが、前記光線路から入力された光信号もしくは前記ローカル光ループバック回路で帰還させられた光信号を外部からの切り替え操作によって選択的に前記光送受信器もしくは前記リモート光ループバック回路に出力する機能を備え、
前記第２の光スイッチが、前記光送受信器もしくは前記リモート光ループバック回路から入力された光信号を前記光線路のうちのいずれか１系統、もしくは前記ローカル光ループバック回路に外部からの切り替え操作によって選択的に出力する機能を備える
ことを特徴とする、請求項２に記載の波長多重化装置。
【請求項６】
複数系統の光線路および光送受信器と接続され、当該光線路と光送受信器との間で光信号を入出力する分離・切り替えモジュールを備える波長多重化装置にあって、
前記分離・切り替えモジュールは、前記光送受信器から入力された光信号を当該光送受信器側に帰還させて出力するローカル光ループバック回路と、前記光線路から入力された光信号もしくは前記ローカル光ループバック回路で帰還させられた光信号を外部からの切り替え操作によって選択的に前記光送受信器に出力する第１の光スイッチと、前記光送受信器から入力された光信号を前記の光線路のうちの１系統、もしくは前記ローカル光ループバック回路に外部からの切り替え操作によって選択的に出力する第２の光スイッチとを予め備えるものであると共に、外部からの操作指令に応じて動作するモジュール検査部を併設した構成とし、
前記ローカル光ループバック回路で帰還させられた光信号を前記光送受信器に出力するよう前記第１の光スイッチを切り替え制御し、
これと並行して前記光送受信器から入力された光信号を前記ローカル光ループバック回路に出力するよう前記第２の光スイッチを切り替え制御し、
その後で前記光送受信器を稼働させて光信号を発信させ、前記ローカル光ループバック回路で帰還させられた光信号が前記光送受信器で受信された否かを判断制御する、
上記の各制御動作を前記モジュール検査部が実行することを特徴とする障害発生箇所特定方法。
【請求項７】
複数系統の光線路および光送受信器と接続され、当該光線路と光送受信器との間で光信号を入出力する分離・切り替えモジュールを備える波長多重化装置にあって、
前記分離・切り替えモジュールは、前記光送受信器から入力された光信号を当該光送受信器側に帰還させて出力するローカル光ループバック回路と、前記光線路から入力された光信号もしくは前記ローカル光ループバック回路で帰還させられた光信号を外部からの切り替え操作によって選択的に前記光送受信器に出力する第１の光スイッチと、前記光送受信器から入力された光信号を前記の光線路のうちの１系統、もしくは前記ローカル光ループバック回路に外部からの切り替え操作によって選択的に出力する第２の光スイッチとを予め備えるものであると共に、外部からの操作指令に応じて動作するモジュール検査部を併設した構成とし、
前記モジュール検査部が備えるプロセッサに、
前記ローカル光ループバック回路で帰還させられた光信号を前記光送受信器に出力するよう前記第１の光スイッチを切り替える手順、
これと並行して前記光送受信器から入力された光信号を前記ローカル光ループバック回路に出力するよう前記第２の光スイッチを切り替える手順、
およびその後で前記光送受信器を稼働させて光信号を発信させ、前記ローカル光ループバック回路で帰還させられた光信号が前記光送受信器で受信された否かを判断する手順、
を設け、これらの各手順を実行させることを特徴とする障害発生箇所特定プログラム。
【発明の詳細な説明】
【技術分野】
【０００１】
本発明は波長多重化装置、障害発生箇所特定方法およびプログラムに関し、特に障害の発生箇所を有効に特定しうる波長多重化装置等に関する。
【背景技術】
【０００２】
伝送、多重化、多重分離、交換、経路制御などのネットワーク機能を、すべて光技術だけで（光信号を電気信号に変換することなく）行うネットワークを、フォトニックネットワークという。それ以前の光ネットワークでは、伝送経路に光ファイバを用い、信号の増幅には光増幅器を用いていたが、回線の交換（スイッチング）についてだけは光信号を一度電気信号に変換した上で電気的に行うしかなかった。これだと、ネットワークの通信容量が、スイッチング装置の性能に制限されることになる。【０００３】
また、電気的なスイッチングだと、装置の消費電力が膨大なものとなる。特に通信速度を高速化するほど、そして収容可能な伝送経路の系統数を増加するほど、消費電力は加速度的に増大する。通信速度の高速化と消費電力の低減との両立が、これからの時代は特に厳しく求められるものである。このため、電気信号への変換を経ず、光信号のままでスイッチングを行う光交換技術の研究開発が現在盛んに進められている。【０００４】
図４は、既存の光交換技術に係る波長多重化装置９００（CDC ROADM: Colorless/Directionless/Contentionless Reconfigurable Optical Add/Drop Multiplexer）の構成について示す説明図である。波長多重化装置９００は、複数系統の光線路であるＷＤＭ方路９０１、９０２、９０３と接続され、各ＷＤＭ方路に対して光信号を入出力する。【０００５】
各ＷＤＭ方路からの信号は、分離・切り替えモジュール９１０（Split & Select Module）を通して、各クライアントからの伝送信号を電気信号−光信号の間で相互に変換するトランスポンダ９２１、９２２、９２３に対して入出力される。ここで、分離・切り替えモジュール９１０と各トランスポンダ９２１、９２２、９２３との間の経路を称して、クライアント収容経路という。【０００６】
なお、図４では、紙面の都合でＷＤＭ方路を９０１、９０２、９０３の３系統、トランスポンダを９２１、９２２、９２３の３系統、各々示しているが、実際にはもっと多くのＷＤＭ方路およびトランスポンダが接続されていてもよいものであり、またＷＤＭ方路の系統数とトランスポンダの系統数とが等しい必要も無いものである。【０００７】
分離・切り替えモジュール９１０は、各ＷＤＭ方路の送信光信号と受信光信号に対応する光カプラ９１１と、各トランスポンダの送信光信号と受信光信号に対応する光スイッチ９１２とで構成される。ＷＤＭ方路９０１から入力される各光信号は分波器９０１ａで分波され、また合波器９０１ｂで合波された各光信号がＷＤＭ方路９０１に入力される。他のＷＤＭ方路９０２と９０３にも、これと同様の分波器９０２ａと９０３ａ、および合波器９０２ｂと９０３ｂが接続されている。【０００８】
ＷＤＭ方路９０１の分波器９０１ａからの出力光信号は、光カプラ９１１ａと、ＷＤＭ方路９０２の合波器９０２ｂ、およびＷＤＭ方路９０３の合波器９０３ｂに入力される。これと同様に、ＷＤＭ方路９０２の分波器９０２ａからの出力光信号は、光カプラ９１１ｂと、ＷＤＭ方路９０１の合波器９０１ｂ、およびＷＤＭ方路９０３の合波器９０３ｂに入力される。ＷＤＭ方路９０３の分波器９０３ａからの出力光信号は、光カプラ９１１ｃと、ＷＤＭ方路９０１の合波器９０１ｂ、およびＷＤＭ方路９０２の合波器９０２ｂに入力される。【０００９】
また、ＷＤＭ方路９０１の合波器９０１ｂは、光カプラ９１１ｄと、ＷＤＭ方路９０２の分波器９０２ａ、およびＷＤＭ方路９０３の分波器９０３ａの各々からの出力光信号を合波してＷＤＭ方路９０１に送信する。これと同様に、ＷＤＭ方路９０２の合波器９０２ｂは、光カプラ９１１ｅと、ＷＤＭ方路９０１の分波器９０１ａ、およびＷＤＭ方路９０３の分波器９０３ａの各々からの出力光信号を合波してＷＤＭ方路９０２に送信する。ＷＤＭ方路９０３の合波器９０３ｂは、光カプラ９１１ｆと、ＷＤＭ方路９０１の分波器９０１ａ、およびＷＤＭ方路９０２の分波器９０２ａの各々からの出力光信号を合波してＷＤＭ方路９０３に送信する。【００１０】
光スイッチ９１２ａ〜ｃは各々、ＷＤＭ方路９０１〜９０３の分波器９０１ｂ〜９０３ｂからの出力光信号の中からいずれか１つを選択して、トランスポンダ９２１〜９２３に入力する。また、光スイッチ９１２ｄ〜ｆは各々、トランスポンダ９２１〜９２３からの出力光信号を、ＷＤＭ方路９０１〜９０３の合波器９０１ａ〜９０３ａの中からいずれか１つを選択して出力する。【００１１】
たとえば、トランスポンダ９２１がＷＤＭ方路９０１の分波器９０１ａからの出力光信号を受信したい場合には、光スイッチ９１２ａによって光カプラ９１１ａから送られてくる光信号を選択し、ドロップ（Drop）経路を構築するとよい。また、トランスポンダ９２１がＷＤＭ方路９０１の合波器９０１ｂに向けて光信号を送信したい場合には、光スイッチ９１２ｄによって光カプラ９１１ｄ向けに光信号を出力するよう選択し、アッド（Add）経路を構築するとよい。【００１２】
このような波長多重化装置９００を、発明者らは既に１００Ｇｂｐｓイーサネット（登録商標）に対応するものとして平成２３年に既に製品化しており（非特許文献２）、さらなる高速化・大容量化を目指して技術開発を推進している。【００１３】
これに関連する技術文献として、次の各々がある。その中でも特許文献１には、光ｎ×ｎスイッチを利用して、ネットワークの機能拡張や障害対応を安価に行うことを可能とするという光ノードシステムが記載されている。非特許文献１には、前述したようなフォトニックネットワークの近年の動向についてまとめられている。非特許文献２には、前述したように、発明者らが製品化した１００Ｇｂｐｓイーサネット対応の波長多重化装置について記載されている。
【先行技術文献】
【特許文献】
【００１４】
【特許文献１】特開２００１−２６８０１１号公報
【非特許文献】
【００１５】
【非特許文献１】北山研一、「フォトニックネットワークの技術動向」、平成２３年９月９日、［平成２４年７月９日検索］、ＳＣＡＴ  ＬＩＮＥ  ８７号、超高速フォトニックネットワーク開発推進協議会（（財）テレコム先端技術研究支援センター）、インターネット＜URL：http://www.scat.or.jp/scatline/scatline87/pdf/scat87_report01.pdf＞
【非特許文献２】「ＮＥＣ、ネットワーク障害耐性の高い１００ギガビット対応ノンブロッキング光クロスコネクト伝送装置を発売（ニュースリリース）」、２０１１年６月９日、［平成２４年７月９日検索］、日本電気株式会社、インターネット＜URL：http://www.nec.co.jp/press/ja/1106/0802.html＞
【発明の概要】
【発明が解決しようとする課題】
【００１６】
しかしながら、このような波長多重化装置９００で、いずれかの伝送系統において障害が発生した場合に、その障害が分離・切り替えモジュール９１０の前後どちらにおいて発生したかを特定するためには、手動による光ケーブルの脱着や伝送系統の切り替えなどのような繁雑な作業が必要であり、そのために多くの時間や労力が費やされることとなる。【００１７】
前述の特許文献１は、障害が発生した場合にその障害を回避して通信を継続するための技術であり、障害の発生箇所を特定する技術ではない。また非特許文献１〜２にも、上記の問題を解決しうる技術は記載されていない。【００１８】
本発明の目的は、障害の発生箇所が分離・切り替えモジュールの前後どちら側であるかを有効に特定しうる波長多重化装置、障害発生箇所特定方法およびプログラムを提供することにある。
【課題を解決するための手段】
【００１９】
上記目的を達成するため、本発明に係る波長多重化装置は、複数または単数系統の光線路、および複数または単数系統の光送受信器と接続され、当該光線路と光送受信器との間に装備されて光信号を入出力する波長多重化装置であって、光線路から入力された光信号を光送受信器に出力する第１の光スイッチと、光送受信器から入力された光信号を光線路に出力する第２の光スイッチとを備え、光送受信器から入力された光信号を当該光送受信器側に帰還させて出力するローカル光ループバック回路を設けたことを特徴とする。【００２０】
上記目的を達成するため、本発明に係る障害発生箇所特定方法は、複数系統の光線路および光送受信器と接続され、当該光線路と光送受信器との間で光信号を入出力する分離・切り替えモジュールを備える波長多重化装置にあって、分離・切り替えモジュールは、光送受信器から入力された光信号を当該光送受信器側に帰還させて出力するローカル光ループバック回路と、光線路から入力された光信号もしくはローカル光ループバック回路で帰還させられた光信号を外部からの切り替え操作によって選択的に光送受信器に出力する第１の光スイッチと、光送受信器から入力された光信号を光線路のうちの１系統、もしくはローカル光ループバック回路に外部からの切り替え操作によって選択的に出力する第２の光スイッチとを予め備えるものであると共に、外部からの操作指令に応じて動作するモジュール検査部を併設した構成とし、ローカル光ループバック回路で帰還させられた光信号を光送受信器に出力するよう第１の光スイッチを切り替え制御し、これと並行して光送受信器から入力された光信号をローカル光ループバック回路に出力するよう第２の光スイッチを切り替え制御し、その後で光送受信器を稼働させて光信号を発信させ、ローカル光ループバック回路で帰還させられた光信号が光送受信器で受信された否かを判断制御する、上記の各制御動作をモジュール検査部が実行することを特徴とする。【００２１】
上記目的を達成するため、本発明に係る障害発生箇所プログラムは、複数系統の光線路および光送受信器と接続され、当該光線路と光送受信器との間で光信号を入出力する分離・切り替えモジュールを備える波長多重化装置にあって、分離・切り替えモジュールは、光送受信器から入力された光信号を当該光送受信器側に帰還させて出力するローカル光ループバック回路と、光線路から入力された光信号もしくはローカル光ループバック回路で帰還させられた光信号を外部からの切り替え操作によって選択的に光送受信器に出力する第１の光スイッチと、光送受信器から入力された光信号をの光線路のうちの１系統、もしくはローカル光ループバック回路に外部からの切り替え操作によって選択的に出力する第２の光スイッチとを予め備えるものであると共に、外部からの操作指令に応じて動作するモジュール検査部を併設した構成とし、モジュール検査部が備えるプロセッサに、ローカル光ループバック回路で帰還させられた光信号を光送受信器に出力するよう第１の光スイッチを切り替える手順、これと並行して光送受信器から入力された光信号をローカル光ループバック回路に出力するよう第２の光スイッチを切り替える手順、およびその後で光送受信器を稼働させて光信号を発信させ、ローカル光ループバック回路で帰還させられた光信号が光送受信器で受信された否かを判断する手順、を設け、これらの各手順を実行させることを特徴とする。
【発明の効果】
【００２２】
本発明は、上記したように、光送受信器から入力された光信号を当該光送受信器側に帰還させて出力するローカル光ループバック回路を含む構成としたので、障害の発生箇所が分離・切り替えモジュールの前後どちら側であるかを有効に特定しうるという、優れた特徴を持つ波長多重化装置、障害発生箇所特定方法およびプログラムを提供することができる。
【図面の簡単な説明】
【００２３】
【図１】本発明の第１の実施形態に係る波長多重化装置の構成について示す説明図である。
【図２】図１に示した波長多重化装置で、障害発生箇所が分離・切り替えモジュールの前後いずれであるかを特定する動作を示すフローチャートである。
【図３】本発明の第２の実施形態に係る波長多重化装置の構成について示す説明図である。
【図４】既存の光交換技術に係る波長多重化装置の構成について示す説明図である。
【発明を実施するための形態】
【００２４】
（第１の実施形態）
以下、本発明の第１の施形態の構成について添付図１に基づいて説明する。
最初に、本実施形態の基本的な内容について説明し、その後でより具体的な内容について説明する。
本実施形態に係る波長多重化装置１００は、複数系統の光線路（ＷＤＭ方路１０１〜１０３）および光送受信器（トランスポンダ２１〜２３）と接続され、当該光線路と光送受信器との間で光信号を入出力する波長多重化装置である。この波長多重化装置１００は、光線路から入力された光信号を光送受信器に出力する第１の光スイッチ１２ａ〜ｃと、光送受信器から入力された光信号を光線路に出力する第２の光スイッチ１２ｄ〜ｆとを備え、光送受信器から入力された光信号を当該光送受信器側に帰還させて出力するローカル光ループバック回路１３とを設けている。
【００２５】
そして、第１の光スイッチ１２ａ〜ｃが、光線路から入力された光信号もしくはローカル光ループバック回路で帰還させられた光信号を外部からの切り替え操作によって選択的に光送受信器に出力し、第２の光スイッチ１２ｄ〜ｆが、光送受信器から入力された光信号を光線路のうちの１系統、もしくはローカル光ループバック回路に外部からの切り替え操作によって選択的に出力する。
【００２６】
また、この波長多重化装置１００は、各光線路ごとに当該光線路から入力された光信号を分岐して各光送受信器に対して出力する第１の光カプラ１１ａ〜ｃと、各光送受信器ごとに当該光送受信器から入力された光信号を合波して各光線路に対して出力する第２の光カプラと１１ｄ〜ｆとを有する。
【００２７】
そして、この波長多重化装置１００には、外部からの操作指令に応じて、ローカル光ループバック回路で帰還させられた光信号を光送受信器に出力するよう第１の光スイッチを切り替え、これと並行して光送受信器から入力された光信号をローカル光ループバック回路に出力するよう第２の光スイッチを切り替え、その後で光送受信器に光信号を発信させ、ローカル光ループバック回路で帰還させられた光信号が光送受信器で受信された否かを判断するモジュール検査部４０が併設されている。
【００２８】
以上の構成を備える事により、この波長多重化装置１００は、障害の発生箇所が分離・切り替えモジュール１０の前後どちら側であるかを有効に特定することが可能となる。
以下、これをより詳細に説明する。
【００２９】
図１は、本発明の第１の実施形態に係る波長多重化装置１００（CDC ROADM: Colorless/Directionless/Contentionless Reconfigurable Optical Add/Drop Multiplexer）の構成について示す説明図である。波長多重化装置１００は、複数系統の光線路であるＷＤＭ方路１０１、１０２、１０３と接続され、各ＷＤＭ方路に対して光信号を入出力する。
【００３０】
各ＷＤＭ方路からの信号は、分離・切り替えモジュール１０（Split & Select Module）を通して、各クライアントからの伝送信号を電気信号−光信号の間で相互に変換するトランスポンダ２１、２２、２３に対して入出力される。ここで、分離・切り替えモジュール１０と各トランスポンダ２１、２２、２３との間の経路を称して、クライアント収容経路という。
【００３１】
なお、図１では、紙面の都合でＷＤＭ方路を１０１、１０２、１０３の３系統、トランスポンダを２１、２２、２３の３系統、各々示しているが、実際にはもっと多数のＷＤＭ方路およびトランスポンダが接続されていてもよいものであり、またＷＤＭ方路およびトランスポンダの系統数が等しい必要も無いものである。
【００３２】
分離・切り替えモジュール１０は、各ＷＤＭ方路の送信光信号と受信光信号に対応する光カプラ１１と、各トランスポンダの送信光信号と受信光信号に対応する光スイッチ１２とで構成される。ＷＤＭ方路１０１から入力される各光信号は分波器１０１ａで分波され、また合波器１０１ｂで合波された各光信号がＷＤＭ方路１０１に入力される。他のＷＤＭ方路１０２と９０３にも、これと同様の分波器１０２ａと１０３ａ、および合波器１０２ｂと１０３ｂが接続されている。
【００３３】
ＷＤＭ方路１０１の分波器１０１ａからの出力光信号は、光カプラ１１ａと、ＷＤＭ方路１０２の合波器１０２ｂ、およびＷＤＭ方路１０３の合波器１０３ｂに入力される。これと同様に、ＷＤＭ方路１０２の分波器１０２ａからの出力光信号は、光カプラ１１ｂと、ＷＤＭ方路１０１の合波器１０１ｂ、およびＷＤＭ方路１０３の合波器１０３ｂに入力される。ＷＤＭ方路１０３の分波器１０３ａからの出力光信号は、光カプラ１１ｃと、ＷＤＭ方路１０１の合波器１０１ｂ、およびＷＤＭ方路１０２の合波器１０２ｂに入力される。
【００３４】
また、ＷＤＭ方路１０１の合波器１０１ｂは、光カプラ１１ｄと、ＷＤＭ方路１０２の分波器１０２ａ、およびＷＤＭ方路１０３の分波器１０３ａの各々からの出力光信号を合波してＷＤＭ方路１０１に送信する。これと同様に、ＷＤＭ方路１０２の合波器１０２ｂは、光カプラ１１ｅと、ＷＤＭ方路１０１の分波器１０１ａ、およびＷＤＭ方路１０３の分波器１０３ａの各々からの出力光信号を合波してＷＤＭ方路１０２に送信する。ＷＤＭ方路１０３の合波器１０３ｂは、光カプラ１１ｆと、ＷＤＭ方路１０１の分波器１０１ａ、およびＷＤＭ方路１０２の分波器１０２ａの各々からの出力光信号を合波してＷＤＭ方路１０３に送信する。
【００３５】
以上ここまでは、前述した既存技術に係る波長多重化装置９００と同一の構成ではあるが、本実施形態に係る波長多重化装置１００に含まれる分離・切り替えモジュール１０は、さらに２つの光カプラ１１ｇおよび１１ｈを備えている。光カプラ１１ｈからの出力光信号は光カプラ１１ｇの入力光信号として直結されているので、これらの光カプラ１１ｇおよび１１ｈを合わせてローカル光ループバック回路１３とも称する。
【００３６】
光スイッチ１２ａ〜ｃは各々、ＷＤＭ方路１０１〜１０３の分波器１０１ｂ〜１０３ｂと光カプラ１１ｇからの出力光信号の中からいずれか１つを選択して、トランスポンダ２１〜２３に入力する。また、光スイッチ１２ｄ〜ｆは各々、トランスポンダ２１〜２３からの出力光信号を、ＷＤＭ方路１０１〜１０３の合波器１０１ａ〜１０３ａと光カプラ１１ｈの中からいずれか１つを選択して出力する。
【００３７】
モジュール検査部４０は、コンピュータプログラムを動作させる主体であるプロセッサ４１を備えたマイクロコンピュータもしくは単体のコンピュータ装置であり、分離・切り替えモジュール１０に接続されている。モジュール検査部４０に対してユーザから入出力手段４２を介して検査の動作が指令されると、プロセッサ４１で検査プログラムが起動し、プロセッサ４１は検査手段４３として機能する。なお、モジュール検査部４０はこれら以外にも、例えば記憶手段や通信手段などを備えるが、これらについては本発明を説明する上で特に必要ではないので詳述しない。
【００３８】
検査手段４３は、光スイッチ１２ａ〜ｆに対して光信号を切り替えさせる制御信号を発する。また、トランスポンダ２１〜２３に対しても光を出力させる制御信号を発し、入力された光信号の強度や波長などについてトランスポンダ２１〜２３から受信する。
【００３９】
図２は、図１に示した波長多重化装置１００で、障害発生箇所が分離・切り替えモジュール１０の前後いずれであるかを特定する動作を示すフローチャートである。動作を開始した検査手段４３は、まずトランスポンダ２１〜２３のうち検査対象となるものからの出力光信号を光カプラ１１ｈ（ローカル光ループバック回路１３）に対して出力させるよう、光スイッチ１２ｄ〜ｆの中から該当するものを切り替えさせる（ステップＳ２０１）。
【００４０】
これに対応するように検査手段４３は、光カプラ１１ｇ（ローカル光ループバック回路１３）からの出力光信号を検査対象のトランスポンダ２１〜２３の入力側に返すよう、光スイッチ１２ａ〜ｃの中から該当するものを切り替えさせる（ステップＳ２０２）。ここまでで、検査対象のトランスポンダについて、ローカル側でのループバックができあがったことになる。
【００４１】
あとは、検査手段４３が、検査対象のトランスポンダ２１〜２３に対して光を出力させ（ステップＳ２０３）、ローカル光ループバック回路１３を通って返ってきた光信号がそのトランスポンダ２１〜２３に入力されたか否かについて判断する（ステップＳ２０４）。
【００４２】
光信号が入力されなければ、分離・切り替えモジュール１０より手前のクライアント収容経路に異常があると判断できる（ステップＳ２０５）。光信号が入力されれば、分離・切り替えモジュール１０から先のＷＤＭ方路１０１〜１０３側に異常があると判断できる（ステップＳ２０６）。以上の判断結果を入出力手段４２を介してユーザに提示して（ステップＳ２０７）、検査手段４３の動作は終了する。
【００４３】
たとえば分離・切り替えモジュール１０とトランスポンダ２１との間のクライアント収容経路の接続の正常性を確認したい場合には、上記のステップＳ２０１で、検査手段４３は光スイッチ１２ｄがトランスポンダ２１からの出力光信号を光カプラ１１ｈに対して出力するように切り替える。すると、ここに出力された光信号は、光カプラ１１ｇに戻ってくるので、上記のステップＳ２０２で検査手段４３は光スイッチ１２ａがこの光カプラ１１ｇからの出力光信号をトランスポンダ２１に入力するように切り替える。
【００４４】
こうすれば、分離・切り替えモジュール１０とトランスポンダ２１との間のクライアント収容経路に異常があれば、光ループバックが不完全となって出力光信号が入力側に戻ってこないので、このクライアント収容経路に異常があることが一目瞭然となる。他のトランスポンダ２２、２３と分離・切り替えモジュール１０との間のクライアント収容経路についても、これと同様にして異常の有無を確認することができる。
【００４５】
（第１の実施形態の全体的な動作）
次に、上記の実施形態の全体的な動作について説明する。
本実施形態に係る障害発生箇所特定方法は、複数系統の光線路および光送受信器と接続され、当該光線路と光送受信器との間で光信号を入出力する分離・切り替えモジュール１０を備える波長多重化装置１００にあって、分離・切り替えモジュール１０は、光送受信器から入力された光信号を当該光送受信器側に帰還させて出力するローカル光ループバック回路１３と、光線路から入力された光信号もしくはローカル光ループバック回路で帰還させられた光信号を外部からの切り替え操作によって選択的に光送受信器に出力する第１の光スイッチ１２ａ〜ｃと、光送受信器から入力された光信号をの光線路のうちの１系統、もしくはローカル光ループバック回路に外部からの切り替え操作によって選択的に出力する第２の光スイッチ１２ｄ〜ｆとを予め備えるものであると共に、外部からの操作指令に応じて動作するモジュール検査部４０を併設した構成とし、ローカル光ループバック回路で帰還させられた光信号を光送受信器に出力するよう第１の光スイッチを切り替え制御し（図２・ステップＳ２０１）、これと並行して光送受信器から入力された光信号をローカル光ループバック回路に出力するよう第２の光スイッチを切り替え制御し（図２・ステップＳ２０２）、その後で光送受信器を稼働させて光信号を発信させ（図２・ステップＳ２０３）、その後で光送受信器を稼働させて光信号を発信させ、ローカル光ループバック回路で帰還させられた光信号が光送受信器で受信された否かを判断制御する（図２・ステップＳ２０４）、上記の各制御動作をモジュール検査部４０が実行する。
【００４６】
ここで、上記各動作ステップについては、これをコンピュータで実行可能にプログラム化し、これらを前記各ステップを直接実行するモジュール検査部４０のプロセッサ４１に実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【００４７】
本実施形態によれば、波長多重化装置で障害が発生した場合に、その発生箇所が分離・切り替えモジュールの前後どちら側であるかを確実かつ容易に特定できる。その際、手動による光ケーブルの脱着や伝送系統の切り替えなどのような繁雑な作業を必要とせず、また特殊な測定器なども必要とはしない。ただモジュール検査部４０に検査実行を指令するだけで、簡単にこの検査を行わせることができる。
【００４８】
ここで、モジュール検査部４０は、波長多重化装置１００に直接接続されたものでなくてもよいものであり、ネットワークなどを通じて波長多重化装置１００を遠隔操作するものとすることも勿論できる。遠隔操作による保守が可能なものであれば、保守にかかる手間やコストなどを大幅に削減することが可能となる。
【００４９】
さらに、このローカル光ループバック回路は、トランスポンダ２１〜２３の各系統ごとに設ける必要はなく、波長多重化装置１００全体の中で１系統だけあれば、全系統でそれを共用することが可能である。従って、装置のコストを大幅に削減し、さらに小型化や低コスト化にも寄与することが可能である。
【００５０】
（第２の実施形態）
本発明の第２の実施形態に係る波長多重化装置３００は、第１の実施形態として説明した構成に加えて、光線路から入力された光信号を当該光線路側に帰還させて出力するリモート光ループバック回路３１４を備えると共に、第１の光スイッチ１１ａ〜ｃが、光線路から入力された光信号もしくはローカル光ループバック回路で帰還させられた光信号を外部からの切り替え操作によって選択的に光送受信器もしくはリモート光ループバック回路に出力し、第２の光スイッチ１１ｄ〜ｆが、光送受信器もしくはリモート光ループバック回路から入力された光信号を複数系統の光線路のうちのいずれか１系統、もしくはローカル光ループバック回路に外部からの切り替え操作によって選択的に出力する構成とした。
【００５１】
この構成によっても、第１の実施形態と同一の効果が得られることに加えて光線路を介して波長多重化装置３００と接続されている反対側の装置で異常を検出することが可能となる。その際、その反対側の装置を変更する必要は特にない。
以下、これをより詳細に説明する。
【００５２】
図３は、本発明の第２の実施形態に係る波長多重化装置３００の構成について示す説明図である。波長多重化装置３００は、前述した第１の実施形態に係る波長多重化装置１００と大部分において同一の構成を有するので、共通の部分については同一の呼称および参照番号でいい、説明を割愛することとする。
【００５３】
波長多重化装置３００は、に含まれる分離・切り替えモジュール３１０は、第１の実施形態で説明した構成に加えて、さらに２つの光スイッチ３１２ｇおよび３１２ｈを備えている。光スイッチ３１２ｇからの出力光信号は光スイッチ３１２ｈの入力光信号として直結されているので、これらの光スイッチ３１２ｇおよび３１２ｈを合わせてリモート光ループバック回路３１４とも称する。
【００５４】
たとえば分離・切り替えモジュール３１０より先のＷＤＭ方路１０１の接続の正常性を確認したい場合には、上記のリモート光ループバック回路を利用して、光スイッチ３１２ｇが光カプラ１１ａからの出力光信号を光スイッチ３１２ｈに対して出力するように切り替える。そして、光スイッチ３１２ｈは、この光信号を光カプラ１１ｄに対して出力するように切り替える。
【００５５】
こうすれば、分離・切り替えモジュール３１０より先のＷＤＭ方路１０１で障害があった場合に、ＷＤＭ方路１０１を介して波長多重化装置３００と接続されている反対側の装置で異常が検出されるので、このＷＤＭ方路１０１に異常があることが一目瞭然となる。他のＷＤＭ方路１０２〜１０３についても、これと同様にして異常の有無を確認することができる。その際、反対側の装置が本実施形態と同様の構造を備えていなくてもよい。
【００５６】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【００５７】
上述した実施形態について、その新規な技術内容の要点をまとめると、以下のようになる。なお、上記実施形態の一部または全部は、新規な技術として以下のようにまとめられるが、本発明は必ずしもこれに限定されるものではない。
【００５８】
（付記１）  複数または単数系統の光線路、および複数または単数系統の光送受信器と接続され、当該光線路と光送受信器との間に装備されて光信号を入出力する波長多重化装置であって、
前記光線路から入力された光信号を前記光送受信器に出力する第１の光スイッチと、
前記光送受信器から入力された光信号を前記光線路に出力する第２の光スイッチとを備え、
前記光送受信器から入力された光信号を当該光送受信器側に帰還させて出力するローカル光ループバック回路を設けた
ことを特徴とする波長多重化装置。
【００５９】
（付記２）  前記第１の光スイッチが、前記光線路から入力された光信号もしくは前記ローカル光ループバック回路で帰還させられた光信号を外部からの切り替え操作によって選択的に前記光送受信器に出力する機能を備え、
前記第２の光スイッチが、前記光送受信器から入力された光信号を前記光線路のうちの１系統、もしくは前記ローカル光ループバック回路に外部からの切り替え操作によって選択的に出力する機能を備える
ことを特徴とする、付記１に記載の波長多重化装置。
【００６０】
（付記３）  前記各光線路ごとに当該光線路から入力された光信号を分岐して前記各第１の光スイッチに対して出力する第１の光カプラと、
前記各第２の光スイッチごとに当該第２の光スイッチから入力された光信号を合波して前記各光線路に対して出力する第２の光カプラと
を有することを特徴とする、付記２に記載の波長多重化装置。
【００６１】
（付記４）  外部からの操作指令に応じて動作するモジュール検査部を備え、
このモジュール検査部が、
前記ローカル光ループバック回路で帰還させられた光信号を前記光送受信器に出力するよう前記第１の光スイッチを切り替え制御する機能と、
これと並行して前記光送受信器から入力された光信号を前記ローカル光ループバック回路に出力するよう前記第２の光スイッチを切り替え制御する機能と、
その後で前記光送受信器に光信号を発信させ、前記ローカル光ループバック回路で帰還させられた光信号が前記光送受信器で受信された否かを判断制御する機能とを有することを特徴とする、付記２に記載の波長多重化装置。
【００６２】
（付記５）  前記光線路から入力された光信号を当該光線路側に帰還させて出力するリモート光ループバック回路を備えると共に、
前記第１の光スイッチが、前記光線路から入力された光信号もしくは前記ローカル光ループバック回路で帰還させられた光信号を外部からの切り替え操作によって選択的に前記光送受信器もしくは前記リモート光ループバック回路に出力する機能を備え、
前記第２の光スイッチが、前記光送受信器もしくは前記リモート光ループバック回路から入力された光信号を前記光線路のうちのいずれか１系統、もしくは前記ローカル光ループバック回路に外部からの切り替え操作によって選択的に出力する機能を備える
ことを特徴とする、付記２に記載の波長多重化装置。
【００６３】
（付記６）  複数系統の光線路および光送受信器と接続され、当該光線路と光送受信器との間で光信号を入出力する分離・切り替えモジュールを備える波長多重化装置にあって、
前記分離・切り替えモジュールは、前記光送受信器から入力された光信号を当該光送受信器側に帰還させて出力するローカル光ループバック回路と、前記光線路から入力された光信号もしくは前記ローカル光ループバック回路で帰還させられた光信号を外部からの切り替え操作によって選択的に前記光送受信器に出力する第１の光スイッチと、前記光送受信器から入力された光信号を前記の光線路のうちの１系統、もしくは前記ローカル光ループバック回路に外部からの切り替え操作によって選択的に出力する第２の光スイッチとを予め備えるものであると共に、外部からの操作指令に応じて動作するモジュール検査部を併設した構成とし、
前記ローカル光ループバック回路で帰還させられた光信号を前記光送受信器に出力するよう前記第１の光スイッチを切り替え制御し、
これと並行して前記光送受信器から入力された光信号を前記ローカル光ループバック回路に出力するよう前記第２の光スイッチを切り替え制御し、
その後で前記光送受信器を稼働させて光信号を発信させ、前記ローカル光ループバック回路で帰還させられた光信号が前記光送受信器で受信された否かを判断制御する、
上記の各制御動作を前記モジュール検査部が実行することを特徴とする障害発生箇所特定方法。
【００６４】
（付記７）  複数系統の光線路および光送受信器と接続され、当該光線路と光送受信器との間で光信号を入出力する分離・切り替えモジュールを備える波長多重化装置にあって、
前記分離・切り替えモジュールは、前記光送受信器から入力された光信号を当該光送受信器側に帰還させて出力するローカル光ループバック回路と、前記光線路から入力された光信号もしくは前記ローカル光ループバック回路で帰還させられた光信号を外部からの切り替え操作によって選択的に前記光送受信器に出力する第１の光スイッチと、前記光送受信器から入力された光信号を前記の光線路のうちの１系統、もしくは前記ローカル光ループバック回路に外部からの切り替え操作によって選択的に出力する第２の光スイッチとを予め備えるものであると共に、外部からの操作指令に応じて動作するモジュール検査部を併設した構成とし、
前記モジュール検査部が備えるプロセッサに、
前記ローカル光ループバック回路で帰還させられた光信号を前記光送受信器に出力するよう前記第１の光スイッチを切り替える手順、
これと並行して前記光送受信器から入力された光信号を前記ローカル光ループバック回路に出力するよう前記第２の光スイッチを切り替える手順、
およびその後で前記光送受信器を稼働させて光信号を発信させ、前記ローカル光ループバック回路で帰還させられた光信号が前記光送受信器で受信された否かを判断する手順、
を設け、これらの各手順を実行させることを特徴とする障害発生箇所特定プログラム。
【００６５】
この出願は２０１２年７月３１日に出願された日本出願特願２０１２−１６９４４０を基礎とする優先権を主張し、その開示の全てをここに取り込む。
【産業上の利用可能性】
【００６６】
本発明は、波長多重化装置、特にＲＯＡＤＭ（Reconfigurable Optical Add/Drop Multiplexer）への適用に適している。
【符号の説明】
【００６７】
１０、３１０  分離・切り替えモジュール
１１ａ〜ｈ  光カプラ
１２ａ〜ｆ、３１２ｇ〜ｈ  光スイッチ
１３  ローカル光ループバック回路
２１、２２、２３  トランスポンダ
４０  モジュール検査部
４１  プロセッサ
４２  入出力手段
４３  検査手段
１００、３００  波長多重化装置
１０１、１０２、１０３  ＷＤＭ方路
１０１ａ、１０２ａ、１０３ａ  分波器
１０１ｂ、１０２ｂ、１０３ｂ  合波器
３１４  リモート光ループバック回路
【図１】
2014021075.tif 000003
【図２】
2014021075.tif 000004
【図３】
2014021075.tif 000005
【図４】
2014021075.tif 000006
【手続補正書】
【提出日】平成27年1月20日(2015.1.20)
【手続補正１】
【補正対象書類名】図面
【補正対象項目名】図１
【補正方法】変更
【補正の内容】
【図１】
2014021075.tif 000007
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
複数または単数系統の光線路、および複数または単数系統の光送受信器と接続され、当該光線路と光送受信器との間に装備されて光信号を入出力する波長多重化装置であって、
前記光線路又はローカル光ループバック回路から入力された光信号を前記光送受信器に出力する第１の光スイッチと、
前記光送受信器から入力された光信号を前記光線路又は前記ローカル光ループバック回路に出力する第２の光スイッチと、
前記第２の光スイッチを介して前記光送受信器から入力された光信号を前記第１の光スイッチを介して当該光送受信器側に帰還させて出力するローカル光ループバック回路と、
外部からの操作指令に応じて動作するモジュール検査部と、
を備え、
このモジュール検査部が、
前記ローカル光ループバック回路で帰還させられた光信号を前記光送受信器に出力するよう前記第１の光スイッチを切り替え制御する機能と、
これと並行して前記光送受信器から入力された光信号を前記ローカル光ループバック回路に出力するよう前記第２の光スイッチを切り替え制御する機能と、
その後で前記光送受信器に光信号を発信させ、前記ローカル光ループバック回路で帰還させられた光信号が前記光送受信器で受信されたか否かを判断制御する機能とを有する
ことを特徴とする波長多重化装置。
【請求項２】
前記第１の光スイッチおよび前記第２の光スイッチは複数あり、
前記複数の光線路ごとに配置され、当該光線路から入力された光信号を分岐して各第１の光スイッチに対して出力する第１の光カプラと、
前記複数の光線路ごとに配置され、各第２の光スイッチから入力された光信号を合波して前記各光線路に対して出力する第２の光カプラと
を有することを特徴とする、請求項１に記載の波長多重化装置。
【請求項３】
第３の光スイッチと第４の光スイッチを備え前記第１の光カプラを介して前記光線路から入力された光信号を前記第２の光カプラを介して当該光線路側に帰還させて出力するリモート光ループバック回路を備えると共に、
前記第３の光スイッチは、前記第１のカプラを介して前記光線路から入力された光信号を前記第４の光スイッチに出力し、
前記第４の光スイッチは、前記第３の光スイッチから入力された光信号を前記第２の光カプラを介して前記光線路に出力する、
ことを特徴とする、請求項２に記載の波長多重化装置。
【請求項４】
複数系統の光線路および光送受信器と接続され、当該光線路と光送受信器との間で光信号を入出力する分離・切り替えモジュールを備える波長多重化装置にあって、
前記分離・切り替えモジュールは、前記光送受信器から入力された光信号を当該光送受信器側に帰還させて出力するローカル光ループバック回路と、前記光線路から入力された光信号もしくは前記ローカル光ループバック回路で帰還させられた光信号を外部からの切り替え操作によって選択的に前記光送受信器に出力する第１の光スイッチと、前記光送受信器から入力された光信号を前記の光線路のうちの１系統、もしくは前記ローカル光ループバック回路に外部からの切り替え操作によって選択的に出力する第２の光スイッチとを予め備えるものであると共に、外部からの操作指令に応じて動作するモジュール検査部を併設した構成とし、
前記ローカル光ループバック回路で帰還させられた光信号を前記光送受信器に出力するよう前記第１の光スイッチを切り替え制御し、
これと並行して前記光送受信器から入力された光信号を前記ローカル光ループバック回路に出力するよう前記第２の光スイッチを切り替え制御し、
その後で前記光送受信器を稼働させて光信号を発信させ、前記ローカル光ループバック回路で帰還させられた光信号が前記光送受信器で受信された否かを判断制御する、
上記の各制御動作を前記モジュール検査部が実行することを特徴とする障害発生箇所特定方法。
【請求項５】
複数系統の光線路および光送受信器と接続され、当該光線路と光送受信器との間で光信号を入出力する分離・切り替えモジュールを備える波長多重化装置にあって、
前記分離・切り替えモジュールは、前記光送受信器から入力された光信号を当該光送受信器側に帰還させて出力するローカル光ループバック回路と、前記光線路から入力された光信号もしくは前記ローカル光ループバック回路で帰還させられた光信号を外部からの切り替え操作によって選択的に前記光送受信器に出力する第１の光スイッチと、前記光送受信器から入力された光信号を前記の光線路のうちの１系統、もしくは前記ローカル光ループバック回路に外部からの切り替え操作によって選択的に出力する第２の光スイッチとを予め備えるものであると共に、外部からの操作指令に応じて動作するモジュール検査部を併設した構成とし
前記モジュール検査部が備えるプロセッサに、
前記ローカル光ループバック回路で帰還させられた光信号を前記光送受信器に出力するよう前記第１の光スイッチを切り替える手順、
これと並行して前記光送受信器から入力された光信号を前記ローカル光ループバック回路に出力するよう前記第２の光スイッチを切り替える手順、
およびその後で前記光送受信器を稼働させて光信号を発信させ、前記ローカル光ループバック回路で帰還させられた光信号が前記光送受信器で受信された否かを判断する手順、
を設け、これらの各手順を実行させることを特徴とする障害発生箇所特定プログラム。
【国際調査報告】
2014021075.tif 000008
2014021075.tif 000009
2014021075.tif 000010
2014021075.tif 000011